(57)【要約】      （修正有）【課題】紙の切断部分とフタの先端が重ならず、一度に大量に早く紙を引き出しやすく、ペーパーロール交換時に簡単に着脱することができるトイレットペーパー切取器具を提供する。【解決手段】下向きののこぎり状の切断歯とその切断歯を両端、又は一端から支持する支持板からなる切断部と、その切断部をはめ込みなど簡単に着脱ができる構造によって固定し既設のフタ付トイレットペーパーホルダーにネジなどの着脱可能な構造を用いて取り付ける切断部固定部を設け、その切断部と切断部支持部とで一組とする。【選択図】図１
2017164434.tif 000002
【特許請求の範囲】
【請求項１】
下向きののこぎり状の切断歯とその切断歯を両端、又は一端から支持する支持板からなる切断部と、その切断部をはめ込み、又は磁石、又はマジックテープ（登録商標）、又はホック、又はクリップ、又は吸盤、あるいはその他の簡単に着脱ができる構造によって固定し既設のフタ付トイレットペーパーホルダーにネジ、又は帯や紐状の固定バンド、又は挟み具、又は広げ具、又は吸盤、あるいはその他の着脱可能な構造を用いて取り付けられる切断部固定部を設け、その切断部と切断部支持部とで一組とするトイレットペーパー切取器具
【請求項２】
切断部と切断部支持部が、それぞれの合い重なる一端で回転軸によって接合されている請求項１のトイレットペーパー切取器具。
【請求項３】
切断部と切断部支持部が一体化され、切断部の切断歯の一端が、それに接する支持板の端に回転軸によって取り付けられている請求項１のトイレットペーパー切取器具。
【請求項４】
切断部と切断部支持部が一体化され、切断部の切断歯が磁石、又ははめ込み、又はホック、又はマジックテープ（登録商標）、又は吸盤、又はクリップ、あるいはその他の簡単に着脱できる構造によって支持板に取り付けられている請求項１のトイレットペーパー切取器具。
【請求項５】
切断部と切断部支持部が一体化され、切断部の切断歯が支持板に完全に固定され動かないようになっている請求項１のトイレットペーパー切取器具。
【請求項６】
請求項１のトイレットペーパー切取器具が一体化されているフタ付のトイレットペーパーホルダー。
【請求項７】
請求項２のトイレットペーパー切取器具が一体化されているフタ付のトイレットペーパーホルダー。
【請求項８】
請求項３のトイレットペーパー切取器具が一体化されているフタ付のトイレットペーパーホルダー。
【請求項９】
請求項４のトイレットペーパー切取器具が一体化されているフタ付のトイレットペーパーホルダー
【請求項１０】
請求項５のトイレットペーパー切取器具が一体化されているフタ付のトイレットペーパーホルダー
【発明の詳細な説明】
【技術分野】
【０００１】  本発明は、既設のフタ付トイレットペーパーホルダーに取り付けるトイレットペーパー切取器具に関するものである。
【背景技術】
【０００２】  従来、フタ付トイレットペーパーホルダーで紙を切り取ると、紙の切断部分とフタの先端が重なり、次に紙を引き出す際にはいったんフタを上に上げる必要があり面倒であった。
なお、既設のトイレットペーパーホルダーのフタに、切断後の紙を押し出す器具を取り付けて、切断部分とフタの先端が重ならないようにする技術がある（特許文献１参照）。
【先行技術文献】
【特許文献】
【０００３】
【特許文献１】特開２０１５−１５０４１２号公報
【発明の概要】
【発明が解決しようとする課題】
【０００４】  従来、フタ付トイレットホルダーで紙を切り取ると、紙の切断部分とフタの先端が重なり、次に紙を引き出す際に面倒であった。
なお、トイレットペーパーを使用する際、急いでいる場合などには一度に大量に早く紙を引き出すことがある。
その際には、フタが軽い方が早く引き出しやすい。
特許文献１のような技術であるとフタに器具を取り付けるためフタの重量が増してしまい、早く紙を引き出しにくくなる。
さらに、フタの重量が増すと、ミシン目のあるトイレットペーパーを利用する場合には長く引き出そうとした際にミシン目のところで短く切れてしまうことがある。
そのうえ、ペーパーロール交換時にはフタに器具が付いていると邪魔である。フタについている器具をいったん取り外そうとしても簡単に取り外すことができる構造ではない。
本発明は、以上の問題点を解決するためになされたものである。
【課題を解決するための手段】  下向きののこぎり状の切断歯とその切断歯を両端、又は一端から支持する支持板からなる切断部と、その切断部をはめ込み、又は磁石、又はマジックテープ（登録商標）、又はホック、又はクリップ、又は吸盤、あるいはその他の簡単に着脱ができる構造によって固定し既設のフタ付トイレットペーパーホルダーにネジ、又は帯や紐状の固定バンド、又は挟み具、又は広げ具、又は吸盤、あるいはその他の着脱可能な構造を用いて取り付けられる切断部固定部を設け、その切断部と切断部支持部とで一組とする。
以上の構成よりなるトイレットペーパー切取器具
【発明の効果】
【０００６】  従来フタ付トイレットホルダーで紙を切り取ると紙の切断部分とフタの先端が重なり次に紙を引き出す際にはいったんフタを上に上げる必要があり面倒であったが、本発明により次の紙を引き出す際には垂れ下がっている紙先端部を引くだけでよくフタを上げる必要がなくなる。
さらに、本発明は、フタに重量をかけないため、一度に大量に早く紙を引き出すことを妨げないし、長く引き出す際にミシン目で短く切れてしまうことがない。
そのうえ、本発明は、ペーパーロール交換時には切断部を簡単に着脱することができるため邪魔にならない。
【図面の簡単な説明】
【０００７】
【図１】本発明の斜視図
【図２】図１における使用状態を表す斜視図
【図３】切断部の支持板が一枚のみの場合の斜視図
【図４】切断部の切断歯の正面図
【図５】固定バンドを用いた場合の切断部固定部の斜視図
【図６】挟み具を用いた場合の切断部固定部の斜視図
【図７】回転軸により接合されている切断部と切断部支持部の正面図
【図８】切断部と切断部支持部が一体化している場合の使用図
【図９】図８において切断歯を上方向に回転させた状態の斜視図
【図１０】切断部と切断部支持部が一体化しており、床と垂直に回転軸がもうけられている場合で、切断歯を前方向に回転させた状態の斜視図
【発明を実施するための形態】
【０００８】  以下、本発明の実施の形態を説明する。
（ア）まず、切断部を設ける。
切断部の構造は以下のとおりである。
下向きののこぎり状の切断歯（１）を、その両端から支持板（２）で支持してある。
そして、両方の支持板（２）の、切断歯（１）とは反対方向の端に、空洞の筒（３）を付ける。
それぞれの筒の間には橋渡しする板（４）を付け、それぞれの筒（３）どうしの間隔が一定に保たれるようにしてある。
なお、支持板（２）については、紙を切り取った際に切断歯（１）に紙の切断面がひっかかる場合があるため、横から指を入れ易いように、切断歯（１）の両端の部分を上方向に湾曲させてある。
また、それぞれの筒を橋渡しする板（４）については、トイレットペーパーホルダーのフタ（１７）の上下運動を妨げないように縦方向の厚みを薄くしてある。
（イ）次に、切断部固定部を設ける。
切断部固定部の構造は以下のとおりである。
四角形の外周の形になるような枠があり、上部の枠（５）についてはトイレットペーパーホルダーのフタ（１７）の上下運動を妨げないように縦方向の厚みを薄くしてある。
縦方向の枠（６）については、上の端を上方向に飛び出させ、切断部の筒（３）をそこにはめ込むようになっている。
さらに、縦方向の枠（６）の上部に、トイレの壁と反対側の方向に板状の部位（７）を飛び出させ、そこにドライバーがなくても手で締めることができるネジ（８）を付けてある。
そのネジ（８）は左右それぞれ２つずつあり、それぞれの先端に滑り止めのゴムが付いている。
（ウ）切断部の支持板（２）については、図３のように切断歯（１）の一端のみを支持するような形状である場合もある。
この場合、支持板（２）は左右どちらか一枚になる。
（エ）切断歯（１）については、紙の切り始めの横滑りを防止し、かつ切断面がきれいになるような構造になっている。
紙を左右どちらかからでも切り取ることができるように、切断歯（１）の両端の部分（９）はそれぞれの歯先を危険でない範囲内で先を尖らせて横を薄くしてある。
そのため、それぞれの刃先が紙を確実にとらえ紙の切り始めの横滑りを防ぐようになっている。
そして、切断歯（１）の中央部分（１０）については、紙の切断面がきれいになるようにそれぞれの刃先の尖りを少なくしてある。
（オ）図１で示すように、本発明は切断部と切断部固定部が別になっている。
これは、ペーパーロール交換時に、切断部の切断歯（１）にペーパーロール（１８）が当たり切断歯（１）が邪魔になるため、ペーパーロール（１８）交換時には切断部を簡単に着脱できるようにするためである。
ペーパーロール（１８）交換時には、切断部を上に持ち上げるだけである。
そうすると切断部の筒（３）と切断部固定部の縦方向の枠（６）の上端の突き出し部分とからなるはめ込みがはずれ、切断部を容易に着脱することができる。
（カ）切断部をはめ込みで切断部固定部に固定するのではなく、磁石やマジックテープ（登録商標）、又はホック、又はクリップ、又は吸盤で固定する構造の切断部固定部である場合もある。
その場合、切断部固定部の左右の縦方向の枠（６）の上端に突き出し部分がなく、磁石、又はマジックテープ（登録商標）、又はホック、又はクリップ、又は吸盤を付けてある。
そして、切断部の筒（３）はなくそこには対になる磁石、又はマジックテープ（登録商標）、又はホック、又はクリップに挟まれる部位、又は吸盤に吸い付けられる部位が付けられている。
この構造により、切断部と切断部固定部が固定されるようになっている。
（キ）切断部を切断部固定部に固定する構造について、はめ込み、又は磁石、又はマジックテープ（登録商標）、又はホック、又はクリップ、又は吸盤ではなく、その他の簡単に着脱できる構造を用いる場合もある。
（ク）図５のように、切断部固定部の両側の縦方向の枠（６）と下の横方向の枠をなくし、上部の枠（５）の下面に帯や紐状の固定バンド（１１）を付けてある場合もある。
この場合、固定バンド（１１）の両先端にはマジックテープ（登録商標）（１２）を付けてある。滑り防止のため、固定バンド（１１）はゴムで作られている。
固定バンド（１１）を、トイレットペーパーホルダーの、壁に接している面の外周縁に巻き付けて固定するようになっている。
なお、この場合、切断部固定部が確実に固定されないため、切断部固定部を中心として上方向や下方向に円状に切断部が動いてしまう。
それを防ぐため、切断部固定部の上部の枠（５）の両端が上下縦方向に飛び出しており、その飛び出し部分の上部または下部のいずれかが常にトイレの壁に接ケるようになっている。
（ケ）図６のように、切断部固定部の縦方向の枠（６）と下の横方向の枠をなくし、上部の枠（５）の下面に挟み具を付けてある場合もある。
挟み具については、左右にそれぞれ、横方向に自在に動く可動式の板（１３）を取り付け、トイレットペーパーホルダーと接するそれらの板の面には滑り止めのゴムを付け、それぞれの可動式の板（１３）の間にはバネ（１４）を渡してある。
そのバネ（１４）の縮む力により、可動式の板（１３）が、トイレットペーパーホルダーの壁に接する面の外周部の縦部分を挟むようになっている。
（コ）ケで述べた横方向に自在に動く左右二枚の可動式の板（１３）を、挟み具ではなく広げ具として使う場合もある。
この場合、切断部固定部の上部の枠（５）の左右の端と、その端に近いそれぞれの可動式の板（１３）はそれぞれバネでつなげられている。
トイレットペーパーホルダーに切断部固定部を取り付ける際には、二枚の可動式板（１３）を間隔を縮めるように握り、トイレットペーパーホルダーの左右のペーパーロール支持部（１６）の内側で壁に最も近い箇所に差し込む。
そして、握っている二枚の可動式の板（１３）を放す。
二枚の可動式の板（１３）がそれぞれの間隔を広げようとする力で、切断部固定部がトイレットペーパーホルダーに固定される。
（サ）切断部固定部をトイレットペーパーホルダーに取り付ける構造として、ネジ、固定バンド、挟み具、広げ具の他に、吸盤を使う構造の場合もある。
この場合、切断部固定部の左右の縦方向の枠（６）はゴムのような柔軟性のある素材であり、それぞれの枠に２つずつの吸盤が付いている。その吸盤で切断部固定部をトイレットペーパーホルダーのペーパーロール支持部（１６）に取り付けるようになっている。
また、その他の着脱可能な構造にて切断部固定部をトイレットペーパーホルダーに固定する場合もある。
（シ）本発明は、はめ込みや磁石、マジックテープ（登録商標）などにより、切断部が切断部支持部に固定されている。
そのため、切断部を切断部支持部から簡単に着脱することができる。
しかし、切断部と切断部支持部が合い重なる一端で回転軸（１５）により接合されており、切断部の着脱ができないようになっている場合もある。
回転軸は床と平行な方向についており、ペーパーロール（１８）交換時には、切断部を回転軸を中心として上方向に回転させるようになっている。
回転させた状態を図７に示す。なお、図７において網掛部は、切断部と切断部固定部である。
（ス）本発明は切断部と切断部固定部が別になっているものであるが、切断部と切断部固定部が一体化している場合がある。
この場合、切断歯（１）の一端を回転軸（１５）で支持板（２）に取り付けてある。この回転軸（１５）は床に対して平行になるようについている。
この場合の支持板（２）の回転軸（１５）部分は、支持板（２）に対して直角に曲がっており、切断歯（１）の回転軸部分は曲がっていない。
ペーパーロール（１８）交換時には、この回転軸（１５）を中心として切断歯（１）を上方向に９０度以上回転させることになるので、ペーパーロール（１８）が切断歯（１）に当たることなく切断歯（１）が邪魔にならない。
図８にはこの場合の使用状態を示し、図９には切断歯（１）を回転させた状態を示してある。
（セ）切断部と切断部固定部が一体化している場合、上記で述べたような形態以外の回転軸（１５）が切断歯（１）の一端に設けられていることもある。
この場合、切断歯（１）が壁に対して前方に横回転をするように、床に対して垂直に回転軸（１５）がもうけられている。
ペーパーロール（１８）交換時には、切断歯（１）を回転軸（１５）を中心として壁に対して前方向に９０度以上横回転させる。回転させたところを図１０に示す。
（ソ）切断部と切断部固定部が一体化している場合、上記のシ及びスで述べたような回転軸（１５）が設けられず、切断歯（１）が支持板（２）から簡単に着脱できるようになっている場合がある。
切断歯（１）の端に磁石、又ははめ込み部位、又はホック、又はマジックテープ（登録商標）、又は吸盤、又はクリップが付いている。そして、その切断歯の端と接する支持板（２）の端に対になる磁石、又ははめ込み部位、又はホック、又はマジックテープ（登録商標）、又は吸盤に吸い付けられる部位、又はクリップに挟まれる部位が付いている。
あるいは、その他の簡単に着脱できる構造が用いられている場合もある。
（タ）切断部と切断部固定部が一体化している場合、上記のス、セ、ソで述べたような形態によりペーパーロール（１８）交換時に切断歯（１）がペーパーロール（１８）に当たらないようになっている。
しかし、広いトイレ室内で使用することを想定している場合には、切断歯（１）が支持板（２）に完全に固定されていて動かないようになっている。
支持板（２）が、トイレットペーパーホルダーが設置されている壁とは反対方向に長く延びていて、切断歯（１）とトイレットペーパーホルダーとの間に十分な間隔があれば、ペーパーロール（１８）交換時にも切断歯（１）がペーパーロールに当たらないのである。
（チ）上記のアとイで述べた切断部と切断固定部の使用状態を表す図が図２である。
切断部固定部の４つのネジ（８）が締められていることで、切断部固定部はトイレットペーパーホルダーのペーパーロール支持部（１６）に固定されている。
紙を切り取る方法は以下のとおりである。
まず、使用する分の紙を壁とは反対側の手前方向に引き出し、紙をたるまないように引っ張った状態で切断歯（１）に押し当てる。
フタ付のトイレットペーパーホルダーであれば、トイレットペーパーホルダーのフタ（１７）が重みとなって紙をたるまないように引っ張ることができる。
この時にトイレットペーパーホルダーのフタ（１７）を押さえる必要はない。
次に、切断歯（１）に押し当てた紙を左右どちらからでもよいので斜め横の上方向に引く。
そうすると紙は切断され、トイレットペーパーホルダーのフタ（１７）先端部から切断歯（１）までに間に引っ張られていた紙は下方向に垂れ下がる。
次回に紙を引き出す際には、その垂れ下がった紙を引き出せばよい。
なお、切断歯（１）に紙の切断面がひっかかったとしても次回には横から指を入れて紙をつかみ引き出せばよい。
（ツ）切断歯（１）については、上記のエで述べたように切り始めの横滑りを防ぐような構造になっている。
そのため、ペーパーロール（１８）の紙の残量が一杯の場合でもわずかの場合でも、確実に紙を切り取ることができる。
（テ）本発明は既設のフタ付トイレットペーパーホルダーに取り付けるものであるが、本発明が当初から一体化したフタ付トイレットペーパーホルダーが設置される場合もある。
【符号の説明】
【０００９】１  切断歯、２  支持板、３  筒、４  橋渡しする板、５  上部の枠、６  縦方向の枠、７  板状の部位、８  ネジ、９  両端の部分、１０  中央部分、１１  固定バンド、１２  マジックテープ（登録商標）、１３  可動式の板、１４  バネ、１５  回転軸、１６  ペーパーロール支持部、１７  トイレットペーパーホルダーのフタ、１８  ペーパーロール
【図１】
2017164434.tif 000003
【図２】
2017164434.tif 000004
【図３】
2017164434.tif 000005
【図４】
2017164434.tif 000006
【図５】
2017164434.tif 000007
【図６】
2017164434.tif 000008
【図７】
2017164434.tif 000009
【図８】
2017164434.tif 000010
【図９】
2017164434.tif 000011
【図１０】
2017164434.tif 000012